(57)【要約】  アクセス端末のための優先度指示およびキューイングを可能にするための方法および装置が提供される。本方法は、アクセス端末（ＡＴ）からアクセス要求を受信することと、アクセス要求に応答して、ＡＴが優先ＡＴであり、リソースが利用可能でないと判断することと、優先ＡＴにアクセス拒否メッセージを送信することと、リソースが利用可能になるまでアクセス要求をキューイングすることと、リソースが利用可能になったと判断されると、優先ＡＴにリソース利用可能メッセージを送信することとを備え得る。【選択図】      図１
2012532506.tif 000002
【特許請求の範囲】
【請求項１】
ワイヤレス通信における優先度指示の方法であって、
アクセス端末（ＡＴ）からアクセス要求を受信することと、
前記アクセス要求に応答して、前記ＡＴが優先ＡＴであり、リソースが利用可能でないと判断することと、
前記優先ＡＴにアクセス拒否メッセージを送信することと、
リソースが利用可能になるまで前記アクセス要求をキューイングすることと、
リソースが利用可能になったと判断されると、前記優先ＡＴにリソース利用可能メッセージを送信することと
を備える、方法。
【請求項２】
前記アクセス要求がＡＴ優先度指示を含み、前記ＡＴが前記ＡＴ優先度指示から前記優先ＡＴであると判断され、前記接続拒否メッセージは、前記優先ＡＴが前記リソース利用可能メッセージを待つための保留期間を含む、請求項１に記載の方法。
【請求項３】
前記優先ＡＴが、モニタ状態モードで待つことを可能にされ、前記リソース利用可能メッセージは、前記リソースが利用可能になるとすぐに送信される、請求項１に記載の方法。
【請求項４】
前記リソース利用可能メッセージが前記優先ＡＴの次の標準スロットにおいて送信され、前記次の標準スロットは、前記優先ＡＴが前記リソース利用可能メッセージを受信するために利用可能である時間である、請求項１に記載の方法。
【請求項５】
ネットワークゲートウェイからＡＴ優先度指示を受信することをさらに備え、
前記ＡＴは、前記優先ＡＴであると判断されるか、またはフローが優先度フローであると判断されるかのうちの少なくとも１つである、請求項１に記載の方法。
【請求項６】
前記アクセス要求が、要求に対するリソースを含み、
ネットワークゲートウェイからリソース優先度指示を受信することをさらに備え、
前記キューイングが、前記リソース優先度指示を用いてリソース割振りの前記優先度を前記優先ＡＴに向けてバイアスすることをさらに備える
請求項１に記載の方法。
【請求項７】
前記リソース利用可能メッセージが、ページングメッセージ、トラフィックチャネル割当て、またはメッセージに対するリソースのうちの少なくとも１つを含む、請求項１に記載の方法。
【請求項８】
前記ＡＴが前記優先ＡＴであると前記判断することは、前記ＡＴが優先度ステータスを有することを識別すること、または前記ＡＴに関連付けられたフローが優先度ステータスを有することを識別することのうちの少なくとも１つを備える、請求項１に記載の方法。
【請求項９】
前記アクセス拒否メッセージが、接続拒否メッセージまたはリソース拒否メッセージのうちの少なくとも１つを含む、請求項１に記載の方法。
【請求項１０】
前記リソース拒否メッセージが、リソース割振りを待つように前記優先ＡＴに促すための要素を含む、請求項９に記載の方法。
【請求項１１】
コンピュータに、アクセス端末（ＡＴ）からアクセス要求を受信させるためのコードと、
前記コンピュータに、前記アクセス要求に応答して、前記ＡＴが優先ＡＴであり、リソースが利用可能でないと判断させるためのコードと、
前記コンピュータに、前記優先ＡＴにアクセス拒否メッセージを送信させるためのコードと、
前記コンピュータに、リソースが利用可能になるまで前記アクセス要求をキューイングさせるためのコードと、
前記コンピュータに、リソースが利用可能になったと判断されると、前記優先ＡＴにリソース利用可能メッセージを送信させるためのコードと
を備えるコンピュータ可読媒体
を備える、コンピュータプログラム製品。
【請求項１２】
アクセス端末（ＡＴ）からアクセス要求を受信するための手段と、
前記アクセス要求に応答して、前記ＡＴが優先ＡＴであり、リソースが利用可能でないと判断するための手段と、
前記優先ＡＴにアクセス拒否メッセージを送信するための手段と、
リソースが利用可能になるまで前記アクセス要求をキューイングするための手段と、
リソースが利用可能になったと判断されると、前記優先ＡＴにリソース利用可能メッセージを送信するための手段と
を備える、装置。
【請求項１３】
アクセス端末（ＡＴ）からアクセス要求を受信すること
を行うように動作可能なトランシーバと、
前記アクセス要求に応答して、前記ＡＴが優先ＡＴであり、リソースが利用可能でないと判断することと、
リソースが利用可能になるまで前記アクセス要求をキューイングすることと
を行うように動作可能なリソース割振りモジュールと
を備える、アクセスネットワーク（ＡＮ）であって、
前記トランシーバが、
前記優先ＡＴにアクセス拒否メッセージを送信することと、
リソースが利用可能になったと判断されると、前記優先ＡＴにリソース利用可能メッセージを送信することと
を行うようにさらに動作可能である、アクセスネットワーク（ＡＮ）。
【請求項１４】
前記アクセス要求がＡＴ優先度指示を含み、前記リソース割振りモジュールは、前記ＡＴ優先度指示からＡＴが前記優先ＡＴであると判断するようにさらに動作可能であり、前記接続拒否メッセージは、前記優先ＡＴが前記リソース利用可能メッセージを待つための保留期間を含む、請求項１３に記載のＡＮ。
【請求項１５】
前記優先ＡＴが、モニタ状態モードで待つことを可能にされ、前記トランシーバは、前記リソースが利用可能になるとすぐに前記リソース利用可能メッセージを送信するようにさらに動作可能である、請求項１３に記載のＡＮ。
【請求項１６】
前記トランシーバが、前記優先ＡＴの次の標準スロットにおいて前記リソース利用可能メッセージを送信するようにさらに動作可能であり、前記次の標準スロットは、前記優先ＡＴが前記リソース利用可能メッセージを受信するために利用可能である時間である、請求項１３に記載のＡＮ。
【請求項１７】
前記トランシーバが、ネットワークゲートウェイからＡＴ優先度指示を受信するようにさらに動作可能であり、前記ＡＴは、前記優先ＡＴであると判断されるか、またはフローが優先度フローであると判断されるかのうちの少なくとも１つである、請求項１３に記載のＡＮ。
【請求項１８】
前記アクセス要求が、要求に対するリソースを含み、前記トランシーバが、ネットワークゲートウェイからリソース優先度指示を受信するようにさらに動作可能であり、前記リソース割振りモジュールが、前記リソース優先度指示を用いてリソース割振りの前記優先度を前記優先ＡＴに向けてバイアスするようにさらに動作可能である、請求項１３に記載のＡＮ。
【請求項１９】
前記リソース利用可能メッセージが、ページングメッセージ、トラフィックチャネル割当て、またはメッセージに対するリソースのうちの少なくとも１つを含む、請求項１３に記載のＡＮ。
【請求項２０】
前記リソース割振りモジュールは、前記ＡＴが優先度ステータスを有することを識別すること、または前記ＡＴに関連付けられたフローが優先度ステータスを有することを識別することのうちの少なくとも１つを行うようにさらに動作可能である、請求項１３に記載のＡＮ。
【請求項２１】
前記アクセス拒否メッセージが、接続拒否メッセージまたはリソース拒否メッセージのうちの少なくとも１つを含む、請求項１３に記載のＡＮ。
【請求項２２】
前記リソース拒否メッセージが、リソース割振りを待つように前記優先ＡＴに促すための要素を含む、請求項２１に記載のＡＮ。
【請求項２３】
アクセス端末（ＡＴ）による優先度指示の方法であって、
アクセスネットワーク（ＡＮ）にアクセス要求の第１のインスタンスを送信することと、
前記送信されたアクセス要求に応答してアクセス拒否メッセージを受信することと、
前記ＡＮからの１つまたは複数のメッセージを監視するモニタ状態モードをアクティブにすることと
を備える、方法。
【請求項２４】
前記アクセス要求の前記第１のインスタンスがＡＴ優先度指示を含み、前記アクセス拒否メッセージが保留期間要素を含み、前記受信した保留期間要素に応答して前記モニタ状態モードがアクティブにされる、請求項２３に記載の方法。
【請求項２５】
前記保留期間要素に関連付けられた保留期間が満了したと判断することと、
前記アクセス要求の第２のインスタンスを送信することと
をさらに備える、請求項２４に記載の方法。
【請求項２６】
コンピュータにアクセスネットワーク（ＡＮ）にアクセス要求を送信させるためのコードと、
前記コンピュータに、前記送信されたアクセス要求に応答してアクセス拒否メッセージを受信させるためのコードと、
前記コンピュータに、前記ＡＮからの１つまたは複数のメッセージを監視するモニタ状態モードをアクティブにさせるためのコードと
を備えるコンピュータ可読媒体
を備える、コンピュータプログラム製品。
【請求項２７】
アクセスネットワーク（ＡＮ）にアクセス要求を送信するための手段と、
前記送信されたアクセス要求に応答してアクセス拒否メッセージを受信するための手段と、
前記ＡＮからの１つまたは複数のメッセージを監視するモニタ状態モードをアクティブにするための手段と
を備える、装置。
【請求項２８】
アクセスネットワーク（ＡＮ）にアクセス要求を送信することと、
前記送信されたアクセス要求に応答してアクセス拒否メッセージを受信することと
を行うように動作可能なトランシーバと、
前記ＡＮからの１つまたは複数のメッセージを監視するモニタ状態モードをアクティブにすること
を行うように動作可能なアクセスモジュールと
を備える、アクセス端末（ＡＴ）。
【請求項２９】
前記アクセス要求がＡＴ優先度指示を含み、前記アクセス拒否メッセージが保留期間要素を含み、前記アクセスモジュールが、前記受信した保留期間要素に応答して前記モニタ状態モードをアクティブにするようにさらに動作可能である、請求項２８に記載のＡＴ。
【請求項３０】
前記アクセスモジュールが、
前記保留期間要素に関連付けられた保留期間が満了したと判断することと、
前記アクセス要求の第２のインスタンスを送信することと
を行うようにさらに動作可能である、請求項２９に記載のＡＴ。
【発明の詳細な説明】
【優先権の主張】
【０００１】
米国特許法第１１９条に基づく優先権の主張
本特許出願は、本出願の譲受人に譲渡され、参照により本明細書に明確に組み込まれる、２００９年６月２９日に出願された「Priority Indication and Queuing」と題する仮出願第６１／２２１，４９５号の優先権を主張する。
【技術分野】
【０００２】
本出願は、一般にワイヤレス通信に関し、より詳細には、アクセス端末（ＡＴ）のための優先度指示およびキューイング（queuing）を可能にするための方法およびシステムに関する。
【背景技術】
【０００３】
ワイヤレス通信システムは、ボイス、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のＡＴのための通信を同時にサポートすることができる。各端末は、順方向リンクおよび逆方向リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
通信システムにアクセスするＡＴの数が増加するにつれて、ネットワークリソースが要求側ＡＴのために容易に利用可能でなくなることがある。現在、高速パケットデータ（ＨＲＰＤ）システムでは、ＡＴは、バックオフし得、後の時点でネットワークにアクセスしようと再試行し得る。そのようなバックオフプロセスを使用している間、無線リソースについての要求がネットワークによって拒否された直後に、ネットワークリソースの一部が解放され得ることが起こりえる。しかしながら、ＡＴはバックオフしており、このイベントはネットワークによって認識されず、したがって、リソースは、ＡＴが要求を再試行するまで許可されない。さらに、試行の間（たとえば、リソースがネットワーク上で解放された後、およびあるＡＴがリソースを取得しようと再試行する前）の時間中、他のＡＴは無線リソースを要求し得、ネットワークは無線リソースを他の要求側ＡＴに許可し得る。したがって、最初にリソースを与えられなかったＡＴが再試行するとき、リソースは依然として利用可能でないことがある。ＡＴのためのリソースの可用性は、緊急時、および／または多数のユーザがほぼ同時に呼を行おうと試行するときよりも優勢であり得る。これは、緊急作業員（たとえば、消防署、警察署など）がネットワークリソース要求を拒否される状況につながり得る。したがって、ＡＴのための優先度指示およびキューイングを可能にするための改善された装置および方法が望まれる。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびその対応する開示に従って、ワイヤレス通信における優先度指示に関して、様々な態様について説明する。一態様によれば、ワイヤレス通信における優先度指示のための方法が提供される。本方法は、アクセス端末（ＡＴ）からアクセス要求を受信することを備える。さらに、本方法は、アクセス要求に応答して、ＡＴが優先ＡＴであり、リソースが利用可能でないと判断することを備えることができる。さらに、本方法は、優先ＡＴにアクセス拒否メッセージを送信することを備えることができる。またさらに、本方法は、リソースが利用可能になるまでアクセス要求をキューイングすることを備えることができる。さらに、本方法は、リソースが利用可能になったと判断されると、優先ＡＴにリソース利用可能メッセージを送信することを備えることができる。
【０００８】
さらに別の態様は、コンピュータ可読媒体を備えるコンピュータプログラム製品に関する。本コンピュータ可読媒体は、コンピュータに、アクセス端末（ＡＴ）からアクセス要求を受信させるためのコードを含むことができる。さらに、本コンピュータ可読媒体は、コンピュータに、アクセス要求に応答して、ＡＴが優先ＡＴであり、リソースが利用可能でないと判断させるためのコードを含むことができる。またさらに、本コンピュータ可読媒体は、コンピュータに、優先ＡＴにアクセス拒否メッセージを送信させるためのコードを含むことができる。またさらに、本コンピュータ可読媒体は、コンピュータに、リソースが利用可能になるまでアクセス要求をキューイングさせるためのコードを含むことができる。さらに、本コンピュータ可読媒体は、コンピュータに、リソースが利用可能になったと判断されると、優先ＡＴにリソース利用可能メッセージを送信させるためのコードを含むことができる。
【０００９】
さらに別の態様は装置に関する。本装置は、アクセス端末（ＡＴ）からアクセス要求を受信するための手段を含むことができる。さらに、本装置は、アクセス要求に応答して、ＡＴが優先ＡＴであり、リソースが利用可能でないと判断するための手段を備えることができる。またさらに、本装置は、優先ＡＴにアクセス拒否メッセージを送信するための手段を備えることができる。さらに、本装置は、リソースが利用可能になるまでアクセス要求をキューイングするための手段を備えることができる。さらに、本装置は、リソースが利用可能になったと判断されると、優先ＡＴにリソース利用可能メッセージを送信するための手段を備えることができる。
【００１０】
別の態様は装置に関する。本装置は、アクセス端末（ＡＴ）からアクセス要求を受信するように動作可能なトランシーバを含むことができる。さらに、本装置は、アクセス要求に応答して、ＡＴが優先ＡＴであり、リソースが利用可能でないと判断することと、リソースが利用可能になるまでアクセス要求をキューイングすることとを行うように動作可能なリソース割振りモジュールを含むことができる。本装置のトランシーバは、優先ＡＴにアクセス拒否メッセージを送信することと、リソースが利用可能になったと判断されると、優先ＡＴにリソース利用可能メッセージを送信することとを行うようにさらに動作可能であり得る。
【００１１】
さらに、１つまたは複数の態様およびその対応する開示に従って、アクセス端末（ＡＴ）による優先度指示に関して、様々な態様について説明する。一態様によれば、アクセス端末（ＡＴ）による優先度指示のための方法が提供される。本方法は、アクセスネットワーク（ＡＮ）にアクセス要求の第１のインスタンスを送信することを備えることができる。さらに、本方法は、送信されたアクセス要求に応答してアクセス拒否メッセージを受信することを備えることができる。さらに、本方法は、ＡＮからの１つまたは複数のメッセージを監視するモニタ状態モードをアクティブにすることを備えることができる。
【００１２】
さらに別の態様は、コンピュータ可読媒体を備えるコンピュータプログラム製品に関する。本コンピュータ可読媒体は、コンピュータに、アクセスネットワーク（ＡＮ）にアクセス要求を送信させるためのコードを含むことができる。さらに、本コンピュータ可読媒体は、コンピュータに、送信されたアクセス要求に応答してアクセス拒否メッセージを受信させるためのコードを含むことができる。さらに、本コンピュータ可読媒体は、コンピュータに、ＡＮからの１つまたは複数のメッセージを監視するモニタ状態モードをアクティブにさせるためのコードを含むことができる。
【００１３】
さらに別の態様は装置に関する。本装置は、アクセスネットワーク（ＡＮ）にアクセス要求を送信するための手段を含むことができる。さらに、本装置は、送信されたアクセス要求に応答してアクセス拒否メッセージを受信するための手段を備えることができる。さらに、本装置は、ＡＮからの１つまたは複数のメッセージを監視するモニタ状態モードをアクティブにするための手段を備えることができる。
【００１４】
別の態様は装置に関する。本装置は、アクセスネットワーク（ＡＮ）にアクセス要求を送信することと、送信されたアクセス要求に応答してアクセス拒否メッセージを受信することとを行うように動作可能なトランシーバを含むことができる。さらに、本装置は、ＡＮからの１つまたは複数のメッセージを監視するモニタ状態モードをアクティブにするように動作可能なアクセスモジュールを含むことができる。
【００１５】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。添付の図面とともに以下に説明する開示する態様は、開示する態様を限定するためではなく、開示する態様を例示するために与えられ、同様の表示は同様の要素を示す。
【図面の簡単な説明】
【００１６】
【図１】一態様による、ワイヤレス通信システムにおいてＡＴのための優先度指示およびキューイングを可能にするためのシステムのブロック図。
【図２】一態様による、ＡＴのための優先度指示を可能にするための方法の例示的な流れ図。
【図３】一態様による、ＡＴのための優先度指示およびキューイングを可能にするための方法の例示的な流れ図。
【図４Ａ】一態様による、ＡＴのための優先度指示を可能にするための方法の例示的なコールフロー図。
【図４Ｂ】一態様による、ＡＴのための優先度指示を可能にするための方法の例示的なコールフロー図。
【図５】一態様による、ＡＴのための優先度指示およびキューイングを可能にするための方法の例示的なコールフロー図。
【図６】一態様による、優先度指示およびキューイングを可能にすることができる例示的なアクセス端末のブロック図。
【図７】本明細書で説明する別の態様による、ＡＴのための優先度指示およびキューイングを可能にするように構成されたアクセスネットワークのアーキテクチャを示すブロック図。
【図８】一態様による、優先度指示およびキューイングを可能にすることができる例示的な通信システムのブロック図。
【図９】一態様による、優先度指示を可能にすることができる例示的な通信のブロック図。
【発明を実施するための形態】
【００１７】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００１８】
概して、ワイヤレス通信システム内での通信中に、アクセス端末（ＡＴ）は、アクセスネットワーク（ＡＮ）にリソース割振りを要求し得る。さらに、本明細書で使用するＡＴは、移動局（ＭＳ）、ワイヤレス通信デバイス（ＷＣＤ）、ユーザ機器（ＵＥ）、またはワイヤレスネットワークにおいて通信することが可能な任意のデバイスを含み得る。一態様では、ワイヤレス通信システムは高速パケットデータ（ＨＲＰＤ）システムを含み得る。別のそのような態様では、ＨＲＰＤシステムはＨＲＰＤ−Ｒｅｖ−Ｃを含み得る。別の態様では、リソースの効果的な割振りを可能にするために、いくつかのＡＴとあるＡＮとの間に優先度指示および／またはサービスが提供され得る。さらに、ＡＮとネットワークゲートウェイとの間に優先度指示および／またはサービスが提供され得る。本明細書で使用するネットワークゲートウェイは、パケットデータサービングノード（ＰＤＳＮ）、またはワイヤレスネットワークにおける通信を可能にすることが可能なネットワークエンティティを含み得る。さらに、ネットワークにおいてリソースをさらに効果的に割り振るために、接続要求のキューイングが実行され得る。１つのそのような態様では、キューイングがフローリソースごとに実行され得、リソースの割振りが優先度フローに向けてバイアスされ得る。
【００１９】
したがって、システム１００は、優先度サービス指示および優先度キューイングをサポートするように実装され得る。一態様では、優先度指示は、呼ごとなど、ＡＴサブスクリプションに基づき得る。システムがサブスクリプションプロセスを通して優先度を示す態様では、ＡＮ（たとえば、無線アクセスネットワーク（ＲＡＮ））は、加入者からのすべての呼を優先呼であるとして扱い得る。概して、（たとえば、３ＧＰＰ２  Ｘ．Ｓ００１１において指定されている）ユーザ間優先度および最大パーフロー優先度が使用され得、ユーザの最大パーフロー優先度は予約済み優先度クラス８〜１５によって示され得、ユーザ間優先度は予約済み優先度クラスの４〜７によって示され得る。優先度指示が呼ごとに判断され得る態様では、ＡＮと最初のおよび／または最後のＩＰルーターとは、呼が優先呼であることに気づき、この優先呼を許可し得る。さらに、ＲＡＮリソースおよびＩＰリソースは優先度ごとにまたは呼ごとに割り振られ得る。優先度指示が呼ごとに判断され得る態様では、ＡＴが発信した優先呼について、ＡＴは、発信ＡＮと最初のＩＰホップとに優先度を示し得る。さらに、発信ＡＴが「優先呼」を開始した場合、受信ＡＴは、その呼について「優先度処理」を与えられ得る。そのような態様では、最後のＩＰホップと終端ＡＮとは、ネットワーク間シグナリングを通して優先度ステータスを通知され得る。
【００２０】
次に図１を参照すると、ワイヤレス通信システムにおける通信のための送信ダイバーシティを可能にするためのシステム１００のブロック図が示されている。システム１００は、それぞれのアンテナ１２６およびアンテナ１１６を介して通信することができる、１つまたは複数のＡＮ１２０と１つまたは複数のＡＴ１１０（たとえば、ワイヤレス通信デバイス（ＷＣＤ））とを含み得る。一態様では、ＡＮ１２０はＥノードＢとして機能し得る。一態様では、ＡＮ１２０は、アンテナ１２６を介してＡＴ１１０にダウンリンク（ＤＬ）通信を行い得る。ＡＴ１１０において、ＤＬ通信はアンテナ１１６を介して受信され得る。ＤＬ通信はＡＴ１１０にコンテンツを与え得る。ＡＮ１２０からＡＴ１１０に通信された受信されたコンテンツは、次いで、そのようなコンテンツが正常に受信されたかどうかを判断するために分析され得る。別の態様では、ＡＴ１１０は、アンテナ１１６を介してＡＮ１２０にアップリンク（ＵＬ）通信を行い得る。ＡＴ１２０において、ＵＬ通信はアンテナ１２６を介して受信され得る。さらに、ＣＱＩ、ＳＲおよび／またはＡＣＫ／ＮＡＣＫなどの制御情報がＡＮ１２０とＡＴ１１０との間で通信され得、肯定応答（ＡＣＫ）は、受信に成功したコンテンツに対して送信され得、否定応答（ＮＡＣＫ）は、受信に失敗したコンテンツに対して送信され得る。
【００２１】
一態様では、ＡＴ１１０は、アクセスモジュール１１２によって可能にされる優先度指示モジュール１１４を使用して優先度指示を通信し得る。さらに、一態様では、そのような通信された優先度指示情報は、リソース割振りモジュール１２２を通して可能にされるＡＮ１２０によって受信され得る。さらに、リソース割振りモジュール１２２は、ＡＴ優先度指示モジュール１２４とフロー優先度指示モジュール１２５とをさらに含み得る。一態様では、ＡＮ１２０は、ＡＴ優先度指示およびキューイングをさらに可能にするために、１つまたは複数のネットワーク構成要素１３０（たとえば、パケットデータサービングノード（ＰＤＳＮ））と通信し得る。
【００２２】
一態様では、優先度指示モジュール１１４は、アクセス要求に優先度要素を含めることを可能にされ得る。１つのそのような態様では、優先度指示モジュール１１４は、優先度通信を示すための特殊なＦｌｏｗＰｒｏｆｉｌｅＩＤまたは特殊なＱＣＩを予約し得る。たとえば、ＣＤＭＡネットワークでは、ＦｌｏｗＰｒｏｆｉｌｅＩＤタイプ「１１」などの現在予約済みのタイプが指示優先度に割り振られ得る。別の例では、優先度通信を示すためにサービス品質（ＱｏＳ）メッセージからのビットが割り当てられ得る。さらに別の例では、優先度通信を示すために１０００〜１１１１などのいくつかのフロー優先度値が使用され得る。またさらに、一態様では、優先度を有する通信を示す際に無線シグナリングおよび／またはＡ１１シグナリングが使用され得る。
【００２３】
一態様では、ＡＮ１２０および／またはネットワーク１３０は、優先度通信を受信エンティティ（たとえば、別のＡＴ）に示すことを可能にし得る。１つのそのような態様では、呼発信エンティティの優先度ステータスに基づいて、セッション開始プロトコル（ＳＩＰ）勧誘中のリソース優先度ヘッダ（ＲＰＨ）がネットワーク１３０に優先度を示し得る（たとえば、コールセンター制御機能（ＣＳＣＦ））。さらに、ネットワーク１３０は、ポリシー課金およびリソース機能（ＰＣＲＦ：policy charging and resource function）への優先度通信として通信を検出し得、ＰＣＲＦは、通信の優先度ステータスの受信端ＰＤＳＮを通知し得る。一態様では、受信端ネットワーク１３０エンティティは、予約済みのＦｌｏｗＰｒｏｆｉｌｅＩＤまたはフロー優先度を使用して、受信ＡＴとのネットワーク開始型ＱｏＳセットアップを実行し得る。別の態様では、受信端ネットワーク１３０エンティティは、通信が優先度サービスであることを終端ＡＮに通知するためにＡ１１シグナリングを使用し得る。
【００２４】
一態様では、ＡＴ優先度モジュール１２４は、ＡＴ１１０の優先度ステータスを検出することを可能にされ得、さらに、リソース割振りモジュール１２２が優先ＡＴにリソースを割り振るのを支援し得る。一態様では、ＡＴ優先度モジュール１２４は、リソースが利用可能になるとすぐに、ＡＴ１１０をページングし得る。別の態様では、ＡＴ優先度モジュール１２４は、ＡＴ１１０からの接続要求をキューイングし、リソースが利用可能になるとすぐに、直接トラフィックチャネル割当てを送り得る。そのような態様では、ＡＴは、トラフィックチャネルを取得するためにアクセス手順を実行する必要がないことがある。さらに別の態様では、ＡＴ優先度モジュール１２４は、ＡＴ１１０からの接続要求をキューイングし、リソース保留の指示をもつ接続拒否メッセージを送り得、次いで後でリソースの準備ができたときにトラフィックチャネル割当てを送り得る。
【００２５】
一態様では、フロー優先度モジュール１２５は、ＡＴ１１０からの優先リソース要求を検出することを可能にされ得、さらに、リソース割振りモジュール１２２が優先リソース要求をもつ優先ＡＴに優先リソースを割り振るのを支援し得る。一態様では、ＡＴ１１０は、ＡＮ１２０に、データリンクフローのためのリソース要求が優先リソース要求であることを示し得る。別の態様では、ＡＮ１２０は、ＡＴ１１０が優先リソースデータリンクフローを許可され得ることを示す、ネットワーク１３０エンティティ（たとえば、ネットワークゲートウェイ、ＰＤＳＮなど）からの通知を受信し得る。そのような態様では、通知は、ＳＩＰシグナリングを使用して受信され得る。１つの動作可能な例では、ネットワーク１３０は、ＳＩＰメッセージを使用して優先リソース要求を受信し得、ネットワーク１３０がＳＩＰ要求を許可した後に、ネットワーク１３０は、ネットワーク１３０からＡＮ１２０に優先度ステータスをプッシュし得る。さらに、そのような態様では、リソース割振りモジュール１２２は、優先キュー中のＡＴ１１０の要求をキューイングし得る。
【００２６】
図２および図３に、提示する主題の様々な態様による様々な方法を示す。説明を簡単にするために、方法を一連の行為として図示および説明するが、いくつかの行為は本明細書で図示および説明する行為とは異なる順序で、および／または他の行為と同時に、行われ得るので、請求する主題は行為の順序によって限定されないことを理解および諒解されたい。たとえば、方法は、状態図など、一連の相互に関連する状態または事象として代替的に表現できることを当業者ならば理解し、諒解するであろう。さらに、請求する主題による方法を実装するために、図示のすべての行為が必要とされるわけではない。さらに、以下および本明細書の全体にわたって開示する方法は、そのような方法をコンピュータに移送および転送することを可能にする製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【００２７】
次に図２を参照すると、アクセス端末（ＡＴ）のための優先度指示を可能にするための例示的な方法２００が示されている。参照番号２０２において、ＡＮがＡＴ要求を満たすために十分なリソースを有しないとき、ＡＴからアクセス要求を受信する。一態様では、アクセス要求は接続要求を含み得る。参照番号２０４において、アクセス要求が優先度指示を含むかどうかを判断する。一態様では、優先度指示はＡＴからＡＮに明示的に通信され得る。別の態様では、優先度指示は、ＰＤＳＮからの指示に基づいてＡＮによって判断され得る。参照番号２０４において、アクセス要求が優先度指示を含むと判断された場合、参照番号２０６において、優先度応答とともに接続拒否メッセージを送信する。一態様では、優先度応答は、モニタ状態モードに入るように要求側ＡＴに促し得る。別の態様では、優先度応答は、保留期間によって定義された時間の間にモニタ状態モードに入るようにＡＴに促すために、保留期間を含み得る。参照番号２０４において、アクセス要求が優先度指示を許可しないと判断された場合、参照番号２０８において、接続拒否メッセージをＡＴに送信する。
【００２８】
参照番号２１０において、ＡＴがモニタ状態モードに入ることが可能にされるかどうかを判断する。一態様では、ＡＴは、アクセス要求中で、ＡＴがモニタ状態モード使用可能であることを示し得る。別の態様では、ＡＮは、要求側ＡＴがモニタ状態モードにあることを示すために、ＰＤＳＮなどのネットワークエンティティから通知を受信し得る。さらに別の態様では、ＡＮは、ＡＴにリソース利用可能メッセージを送信することを失敗することによって、ＡＴがモニタ状態使用可能でないことを判断し得る。
【００２９】
参照番号２１０において、ＡＴが使用可能なモニタ状態モードにあると判断された場合、参照番号２１２において、十分なリソースが利用可能になるとすぐに、リソース利用可能メッセージを要求側ＡＴに送信する。対照的に、参照番号２１０において、ＡＴがモニタ状態にないと判断された場合、参照番号２１４において、要求側ＡＴのための次の標準スロット時間においてリソース利用可能メッセージを送信する。一態様では、ＡＮは、ネットワークエンティティによってＡＴのための標準スロット時間を通知され得る。一態様では、ＡＴへの送信は、ページングメッセージ、トラフィックチャネル割当てメッセージなどを使用して実行され得る。その後、参照番号２１６において、トラフィックチャネルセットアップ手順を実行する。
【００３０】
次に図３を参照すると、アクセス端末（ＡＴ）のための優先度指示およびキューイングを可能にするための例示的な方法３００が示されている。参照番号３０２において、ＡＴから要求に対する予約を受信する。参照番号３０４において、予約待機（wait for reservation）要素とともに予約拒否メッセージを送信する。一態様では、予約待機状態要素は、ＡＴが要求に対する別の予約を送信せず、メッセージに対する予約を受信するために利用可能である予約待機状態に入るように、ＡＴに促す。参照番号３０６において、ＡＴに優先度フローを許可する必要があるかどうかを判断する。一態様では、優先度フローステータスは、ＡＴによる要求に対する予約中に示され得る。別の態様では、ＡＮは、要求されたフローが優先度フローであることを、ＰＤＳＮなどのネットワークエンティティによって通知され得る。
【００３１】
参照番号３０６において、要求されたリソースが優先度フローのためのものであると判断された場合、参照番号３０８において、要求をさらに優先する。一態様では、優先度フローを要求する優先ＡＴは優先度フローキュー中にキューイングされ得、ＡＮは、リソースについて一般キュー中のＡＴに優先して優先度フローキュー中のＡＴにリソース割振りをバイアスし得る。参照番号３１０において、ＡＴにメッセージに対する予約を送信し、参照番号３１２において、データ送信を実行する。したがって、ＡＮは、予約要求がＡＮによってすでに拒否された後に優先度フロー要求ステータスを通知され得、さらに、このフローが優先度フローであることがＡＮに通知されたとき、ＡＮが優先度フロー要求を優先キューに追加することが可能になり得る。
【００３２】
図４Ａ、図４Ｂおよび図５に関して、ＡＴのための優先度指示およびキューイングを可能にするための例示的なシステム４００、４０１および５００のコールフローが示されている。概して、ＡＴ４０２、５０２およびアクセスネットワーク（ＡＮ）４０４、５０４は通信し得、通信は、さらに、限定はしないが、ＰＤＳＮなどのネットワークエンティティ４０６、５０６を通して可能にされ得る。本明細書で使用するＡＴ４０４、５０４は、１つまたは複数のノードＢ、１つまたは複数のＲＮＣなどを含み得る。
【００３３】
次に図４Ａを参照すると、シーケンスステップ４０８において、ＡＴ４０２はＡＮ４０４にアクセス要求を送信する。一態様では、アクセス要求は、接続要求、要求に対する予約などを含み得る。シーケンスステップ４１０において、ＡＴ４０２要求を満たすためにＡＮ４０４にとって利用可能なリソースが不十分であると判断する。シーケンスステップ４１２において、ＡＮ４０４はＡＴ４０２にアクセス拒否メッセージを送信する。一態様では、アクセス拒否メッセージは、接続拒否メッセージ、予約拒否メッセージなどを含み得る。随意に、シーケンスステップ４１４において、ＡＮ４０４において十分なリソースが利用可能になると、ＡＴ４０２は、ＡＴ４０２がアクセスメッセージの受信を受容することを可能にし得るモニタ状態に入ることを可能にされ得る。さらに、または代替として、ＡＴ４０２は、アクセス拒否メッセージを受信すると標準スロットモードに戻り得る。
【００３４】
シーケンス４１６において、ＡＮ４０４は、要求側ＡＴ４０２が優先ＡＴであるかどうかを判断するためにネットワークエンティティ４０６にメッセージを送信する。シーケンスステップ４１８において、ＡＴが優先ＡＴであると判断し、シーケンスステップ４２０において、ＡＮ４０４に優先度指示を返信する。ＡＮ４０４は、リソースが利用可能になったときにリソースを受信するために優先ＡＴをキューに追加する。シーケンスステップ４２２において、ＡＴ４０２にリソース利用可能メッセージを送信する。一態様では、リソース利用可能メッセージは、ページングメッセージ、トラフィックチャネル割当て、メッセージに対する予約などを含み得る。ＡＴ４０２がモニタ状態モードにある一態様では、ＡＴ４０２は、リソースが利用可能になるとすぐに、このメッセージを受信し得る。別の態様では、ＡＮ４０４は、ＡＴ４０２のための次の知られているアウェイク時間まで待機し得、次いでリソース利用可能メッセージを送信し得る。たとえば、ＡＮ４０４は、リソース準備完了（readiness）を示すために非スロットモードにおいてＡＴ４０２をページングし得る。シーケンスステップ４２４において、ＡＴ４０２およびＡＮ４０４は、割り振られたリソースを使用した通信を可能にするためにトラフィックチャネルセットアップを実行し得る。
【００３５】
次に図４Ｂを参照すると、シーケンスステップ４２６において、ＡＴ４０２はＡＮ４０４にアクセス要求を送信する。一態様では、アクセス要求は、ＡＴ４０４からの優先度指示を含み得る。一態様では、優先度指示は、ＡＴ４０２がＡＮ４０４においてリソース要求のキューイングを要求していることをＡＮ４０４に促し得る。シーケンスステップ４２８において、ＡＴ４０２要求を満たすためにＡＮ４０４にとって利用可能なリソースが不十分であると判断する。シーケンスステップ４３０において、ＡＮ４０４は、ＡＴ４０２にアクセス拒否メッセージを送信し、アクセス拒否メッセージは保留期間要素を含み得る。そのような態様では、シーケンスステップ４３２において、ＡＴ４０２は、保留期間要素中に示される持続時間の間リソース割振りを待つためにモニタ状態に入り得る。一態様では、ＡＴ４０２が保留期間中にＡＮ間ハンドオーバを実行する場合、リソース要求キューはＡＴ４０２に従い得る。対照的に、ＡＴ４０２が新しいＡＮへのハンドオーバを実行する場合、保留期間が終了し得、ＡＴは新しいＡＮに新しいアクセス要求を送信し得る。
【００３６】
シーケンスステップ４３４において、ＡＴ４０２にリソース利用可能メッセージを送信する。一態様では、リソース利用可能メッセージは、ページングメッセージ、トラフィックチャネル割当て、メッセージに対する予約などを含み得る。ＡＴ４０２がモニタ状態モードにある一態様では、ＡＴ４０２は、リソースが利用可能になるとすぐに、このメッセージを受信し得る。シーケンスステップ４３６において、ＡＴ４０２およびＡＮ４０４は、割り振られたリソースを使用した通信を可能にするためにトラフィックチャネルセットアップを実行し得る。
【００３７】
次に図５を参照すると、シーケンスステップ５０８において、ＡＮ５０４にＡＴ５０２が優先ＡＴであるという指示を与える。シーケンスステップ５１０において、ＡＴ５０２が要求に対する予約を送信する。一態様では、ＡＴは優先度フローを要求した。一態様では、ＡＴは優先ＡＴ５０２として示される。シーケンスステップ５１２において、ＡＴ５０２要求を満たすためにＡＮ５０４にとって利用可能なリソースが不十分であると判断する。シーケンスステップ５１４において、ＡＮ５０４がＡＴ５０２に予約拒否メッセージを送信し、アクセス拒否メッセージは、ＡＴ５０２が、要求に対する別の予約を送信せず、メッセージに対する予約を受信するために利用可能である予約待機状態に入るようにＡＴ５０２に促すための予約待機状態要素を含み得る。一態様では、ＡＴ５０２が、予約待機状態にある間にＡＮ間ハンドオーバを実行する場合、リソース要求キューはＡＴ５０２に従い得る。対照的に、ＡＴが新しいＡＮへのハンドオーバを実行する場合、予約待機モードが終了し得、ＡＴは新しいＡＮに要求に対する新しい予約を送信し得る。
【００３８】
さらにおよび／または随意に、シーケンスステップ５１８において、要求されたリソースが優先度フローのためのものであることをＡＮ５０４に通知する。シーケンスステップ５２０において、優先度フローを要求する優先ＡＴ５０２を優先度フローキュー中にキューイングする。一態様では、ＡＮ５０４は、リソースについて一般キュー中のＡＴに優先して優先度フローキュー中のＡＴにリソース割振りをバイアスし得る。シーケンスステップ５２２において、ＡＴ５０２にリソース利用可能メッセージを送信する。一態様では、リソース利用可能メッセージは、メッセージに対する予約を含み得る。ＡＴ５０２が予約待機モードにある一態様では、ＡＴ５０２は、リソースが利用可能になるとすぐに、このメッセージを受信し得る。シーケンスステップ５２４において、ＡＴ５０２およびＡＮ５０４はデータ通信を開始する。したがって、ＡＮ５０４は、予約要求がＡＮ５０４によってすでに拒否された後に優先度フロー要求ステータスを通知され得、さらに、ＡＮがこのフローが優先度フローであることを通知されたとき、ＡＮ５０４が優先度フロー要求を優先キューに追加することが可能になり得る。
【００３９】
次に図６を参照すると、優先度指示およびキューイングを可能にすることができるアクセス端末（ＡＴ）６００（たとえば、ワイヤレス通信デバイス（ＷＣＤ）、クライアントデバイスなど）の図が提示されている。ＡＴ６００は、たとえば、１つまたは複数の受信アンテナ（図示せず）から１つまたは複数の信号を受信する受信機６０２を備え、受信信号に対して典型的な動作（たとえば、フィルタ処理、増幅、ダウンコンバートなど）を実行し、サンプルを得るために調整された信号をデジタル化する。受信機６０２は、受信信号の復調のためのキャリア周波数を与えることができる発振器と、受信シンボルを復調し、それらをチャネル推定のためにプロセッサ６０６に与えることができる復調器とをさらに備えることができる。一態様では、ＡＴ６００は、２次受信機６５２をさらに備え得、情報の追加のチャネルを受信し得る。
【００４０】
プロセッサ６０６は、受信機６０２によって受信された情報を分析すること、および／または１つまたは複数の送信機６２０（説明しやすいように、ただ１つの送信機を示す）による送信のための情報を生成することに専用のプロセッサ、ＡＴ６００の１つまたは複数の構成要素を制御するプロセッサであり、ならびに／あるいは受信機６０２および／または第２の受信機６５２によって受信された情報を分析し、１つまたは複数の送信アンテナ（図示せず）上での送信のために送信機６２０による送信のための情報を生成し、ＡＴ６００の１つまたは複数の構成要素を制御するプロセッサであり得る。
【００４１】
ＡＴ６００は、さらに、メモリ６０８を備えることができ、メモリ６０８は、プロセッサ６０６に動作可能に結合され、送信すべきデータ、受信されたデータ、利用可能なチャネルに関係する情報、分析された信号および／または干渉強度に関連するデータ、割当てチャネル、電力、レートなどに関係する情報、ならびにチャネルを推定し、そのチャネルを介して通信するための他の適切な情報を記憶することができる。メモリ６０８は、さらに（たとえばパフォーマンスベース、容量ベースなどの）チャネルの推定および／または利用に関連するプロトコルおよび／またはアルゴリズムを記憶することができる。
【００４２】
本明細書で説明するデータストア（たとえば、メモリ６０８）は、揮発性メモリまたは不揮発性メモリのいずれかとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。本システムおよび方法のメモリ６０８は、これらのおよび任意の他の適切なタイプのメモリを、これらに限定されることなく、備えるものとする。
【００４３】
ＡＴ６００は、ＡＴ６００からの通信のための優先度指示およびキューイングを可能にするアクセスモジュール６１２をさらに備えることができる。アクセスモジュール６１２は優先度指示モジュール６１４をさらに含むことができる。一態様では、ＡＴ６００は、アクセスモジュール６１２によって可能にされる優先度指示モジュール６１４を使用して優先度指示を通信し得る。
【００４４】
一態様では、優先度指示モジュール６１４は、アクセス要求に優先度要素を含めることを可能にされ得る。１つのそのような態様では、優先度指示モジュール６１４は、優先度通信を示すための特殊なＦｌｏｗＰｒｏｆｉｌｅＩＤを予約し得る。たとえば、ＦｌｏｗＰｒｏｆｉｌｅＩＤタイプ「１１」などの現在予約済みのタイプが指示優先度に割り振られ得る。別の例では、優先度通信を示すためにサービス品質（ＱｏＳ）メッセージからのビットが割り当てられ得る。さらに別の例では、優先度通信を示すために１０００〜１１１１などのいくつかのフロー優先度値が使用され得る。
【００４５】
さらに、ＡＴ６００はユーザインターフェース６４０を含み得る。ユーザインターフェース６４０は、ＡＴ６００への入力を生成するための入力機構６４２と、ＡＴ６００のユーザよって消費される情報を生成するための出力機構６４２とを含み得る。たとえば、入力機構６４２は、キーまたはキーボード、マウス、タッチスクリーンディスプレイ、マイクロフォンなどの機構を含み得る。さらに、たとえば、出力機構６４４は、ディスプレイ、オーディオスピーカー、触覚フィードバック機構、パーソナルエリアネットワーク（ＰＡＮ）トランシーバなどを含み得る。図示された態様では、出力機構６４４は、画像またはビデオフォーマットのコンテンツを提示するように動作可能なディスプレイ、あるいはオーディオフォーマットのコンテンツを提示するオーディオスピーカーを含み得る。
【００４６】
図７を参照すると、複数の受信アンテナ７０６を介して１つまたは複数のユーザデバイス６００から（１つまたは複数の）信号を受信する受信機７１０と、複数の送信アンテナ７０８を介して１つまたは複数のユーザデバイス６００に送信する送信機７２０とをもつアクセスネットワーク７０２を備える例示的なシステム７００が示されている。受信機７１０は受信アンテナ７０６から情報を受信することができる。シンボルは、上記で説明したプロセッサと同様であるプロセッサ７１２によって分析され得、プロセッサ７１２は、データ処理に関係する情報を記憶するメモリ７１４に結合される。プロセッサ７１２は、さらに、１つまたは複数のユーザデバイス６００へのリソースの割振りを可能にするリソース割振りモジュール７１６に結合される。信号は、送信機７２０によって１つまたは複数の送信アンテナ７０８を介してユーザデバイス６００に送信するために多重化および／または準備され得る。
【００４７】
一態様では、リソース割振りモジュール７１６は、ＡＴ優先度指示モジュール７１７とフロー優先度モジュール７１８とを含み得る。一態様では、ＡＴ優先度モジュール７１７は、ＡＴ６００の優先度ステータスを検出することを可能にされ得、さらに、リソース割振りモジュール７１６が優先ＡＴにリソースを割り振るのを支援し得る。一態様では、ＡＴ優先度モジュール７１７は、リソースが利用可能になるとすぐに、ＡＴ６００をページングするようにＡＮ７０２に促し得る。別の態様では、ＡＴ優先度モジュール７１７は、ＡＴ６００からの接続要求をキューイングし、リソースが利用可能になるとすぐに、直接トラフィックチャネル割当てを送るようにＡＮ７０２に促し得る。さらに別の態様では、ＡＴ優先度モジュール７１７は、ＡＴ６００からの接続要求をキューイングし、リソースの準備ができたときに、リソース保留通知の初期指示とともに、トラフィックチャネル割当てを送るようにＡＮ７０２に促し得る。
【００４８】
一態様では、フロー優先度モジュール７１８は、ＡＴ６００からの優先リソース要求を検出することを可能にされ得、さらに、リソース割振りモジュール７１６が優先リソース要求をもつ優先ＡＴに優先リソースを割り振るのを支援し得る。一態様では、ＡＴ６００は、リソース要求が優先リソース要求であることをＡＮ１２０に示し得る。別の態様では、ＡＮ７０２は、ＡＴ６００のリソース要求が優先リソース要求であることを示す通知をネットワークエンティティ（たとえば、ＰＤＳＮ）から受信し得る。そのような態様では、通知は、ＳＩＰシグナリングを使用して受信され得る。さらに、そのような態様では、リソース割振りモジュール７１６は、優先キュー中のＡＴ６００の要求をキューイングし得る。
【００４９】
図８を参照すると、通信のための優先度指示およびキューイングを可能にすることができる例示的なシステム８００のブロック図が示されている。たとえば、システム８００は、少なくとも部分的にアクセスネットワーク、基地局、ＥノードＢなどの内部に常駐することができる。システム８００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム８００は、連携して動作することができる手段の論理グルーピング８０２を含む。たとえば、論理グルーピング８０２は、アクセス端末（ＡＴ）からアクセス要求を受信するための手段８０４を含むことができる。一態様では、アクセス要求はＡＴ優先度指示を含み得、ＡＴ優先度指示は、ＡＮが、このＡＴが優先ＡＴであると判断することを可能にし得る。別の態様では、アクセス要求は、要求に対するリソースを含み得る。
【００５０】
さらに、論理グルーピング８０２は、アクセス要求に応答して、ＡＴが優先ＡＴであり、リソースが利用可能でないと判断するための手段８０６を備えることができる。一態様では、ＡＴは、ＰＤＳＮからＡＴ優先度指示を受信することから優先ＡＴであると判断される。またさらに、論理グルーピング８０２は、優先ＡＴにアクセス拒否メッセージを送信するための手段８０８を備えることができる。一態様では、アクセス拒否メッセージは、接続拒否メッセージ、リソース拒否メッセージなどを含み得る。別の態様では、リソース拒否メッセージは、リソース割振りを待つように優先ＡＴに促すための要素を含み得る。さらに、論理グルーピング８０２は、リソースが利用可能になるまでアクセス要求をキューイングするための手段８１０を備えることができる。一態様では、キューイングは、リソース優先度指示を用いてリソース割振りの優先度を優先ＡＴに向けてバイアスすることをさらに備え得る。さらに、論理グルーピング８０２は、リソースが利用可能になったと判断されると、優先ＡＴにリソース利用可能メッセージを送信するための手段８１２を備えることができる。一態様では、リソース利用可能メッセージは、ページングメッセージ、トラフィックチャネル割当て、メッセージに対するリソースなどを含み得る。
【００５１】
さらに、システム８００は、手段８０４、８０６、８０８、８１０および８１２に関連付けられた機能を実行するための命令を保持するメモリ８１４を含むことができる。メモリ８１４の外部にあるものとして図示されているが、手段８０４、８０６、８０８、８１０および８１２のうちの１つまたは複数はメモリ８１４の内部に存在することができることを理解されたい。
【００５２】
図９を参照すると、通信のための優先度指示およびキューイングを可能にすることができる例示的なシステム９００のブロック図が示されている。たとえば、システム９００は、少なくとも部分的にアクセス端末、ワイヤレス通信デバイスなどの内部に常駐することができる。システム９００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム９００は、連携して動作することができる手段の論理グルーピング９０２を含む。たとえば、論理グルーピング９０２は、アクセスネットワーク（ＡＮ）にアクセス要求の第１のインスタンスを送信するための手段９０４を含むことができる。一態様では、アクセス要求はＡＴ優先度指示を含み得る。
【００５３】
さらに、論理グルーピング９０２は、送信されたアクセス要求に応答してアクセス拒否メッセージを受信するための手段９０６を備えることができる。一態様では、アクセス拒否メッセージは保留期間要素を含み得る。さらに、論理グルーピング９０２は、ＡＮからの１つまたは複数のメッセージを監視するモニタ状態モードをアクティブにするための手段９０８を備えることができる。一態様では、モニタ状態モードは、アクセス拒否メッセージ中の保留期間要素を受信することに応答してアクティブにされ得る。
【００５４】
さらに、システム９００は、手段９０４、９０６および９０８に関連する機能を実行するための命令を保持するメモリ９１０を含むことができる。メモリ９１０の外部にあるものとして図示されているが、１つまたは複数の手段９０４、９０６および９０８はメモリ９１０の内部に存在することができることを理解されたい。
【００５５】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができ得るが、これらに限定されない。例として、コンピューティングデバイス上で実行されるアプリケーションと、そのコンピューティングデバイスの両方を構成要素であり得る。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００５６】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【００５７】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００５８】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）とＣＤＭＡの他の変形態とを含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ４」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００５９】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００６０】
本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションの１つまたは複数を実行するように動作可能な１つまたは複数のモジュールを備え得る。
【００６１】
さらに、本明細書で開示された態様に関して説明した方法またはアルゴリズムのステップおよび／またはアクションは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐し得る。例示的な記憶媒体は、プロセッサが記憶媒体から情報を読むことができ、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００６２】
１つまたは複数の態様では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００６３】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
【図１】
2012532506.tif 000003
【図２】
2012532506.tif 000004
【図３】
2012532506.tif 000005
【図４Ａ】
2012532506.tif 000006
【図４Ｂ】
2012532506.tif 000007
【図５】
2012532506.tif 000008
【図６】
2012532506.tif 000009
【図７】
2012532506.tif 000010
【図８】
2012532506.tif 000011
【図９】
2012532506.tif 000012
【国際調査報告】
2012532506.tif 000013
2012532506.tif 000014